(57)【要約】  拡張検索機能を提供するメタ情報及びサブタイトル情報が記録された記録媒体及びその再生装置を提供する。  本発明による動画情報が記録された記録媒体は、動画情報、動画情報に対する拡張検索機能を提供するためのメタ情報、及び動画情報に対する字幕を提供するためのサブタイトル情報を含み、メタ情報及びサブタイトル情報は、別途のファイルに分離されて記録されることを特徴とする。これにより、多様な検索キーワードによる拡張検索が可能であり、サブタイトル情報が字幕または検索キーワードとして使われ、メタ情報の大きさが小さくなってデータ処理が容易である。
2007511858.tif 000002
【特許請求の範囲】
【請求項１】
記録媒体において、
動画情報と、
前記動画情報についての拡張検索機能を提供するためのメタ情報と、
前記動画情報についての字幕を提供するためのサブタイトル情報と、を含み、
前記メタ情報及び前記サブタイトル情報は、別途のファイルに分離されて記録されることを特徴とする記録媒体。
【請求項２】
前記メタ情報及び前記サブタイトル情報は、エレメント及び属性で表現されるマークアップ言語を使用し、テキストに基づいて記録されることを特徴とする請求項１に記載の記録媒体。
【請求項３】
前記メタ情報は、前記記録媒体内で前記メタ情報の固有識別情報を含むことを特徴とする請求項１に記載の記録媒体。
【請求項４】
前記メタ情報は、各検索キーワードに該当するエレメント別にグルーピングされていることを特徴とする請求項２に記載の記録媒体。
【請求項５】
前記メタ情報は、ショットエレメント、キャラクタエレメント、小品エレメント、サウンドエレメント、ロケーションエレメントのうち少なくとも一つを含むことを特徴とする請求項３に記載の記録媒体。
【請求項６】
前記メタ情報に含まれた各エレメントは、前記ショットエレメントの固有識別情報を含むことを特徴とする請求項５に記載の記録媒体。
【請求項７】
前記サブタイトル情報は、前記動画情報に対する字幕のための字幕情報及び前記字幕情報に適用されるスタイル情報を含むことを特徴とする請求項５に記載の記録媒体。
【請求項８】
前記サブタイトル情報は、前記字幕情報を前記メタ情報の一つの検索キーワードとして使用可能に、関連したショットエレメント情報または関連したキャラクタエレメント情報を含むことを特徴とする請求項７に記載の記録媒体。
【請求項９】
前記サブタイトル情報は、前記メタ情報の一つの検索キーワードとして使われるために、該当サブタイトルを含んでいるメタ情報の固有識別情報を含むことを特徴とする請求項１に記載の記録媒体。
【請求項１０】
前記記録媒体は、再生装置への挿入及び離脱が容易な着脱式であることを特徴とする請求項１に記載の記録媒体。
【請求項１１】
前記記録媒体は、光学装置を利用してデータを読み取り可能な光ディスクであることを特徴とする請求項１０に記載の記録媒体。
【請求項１２】
動画情報、前記動画情報についての拡張検索機能を提供するためのメタ情報、及び前記動画情報についての字幕を提供するためのサブタイトル情報を含む記録媒体を再生する再生装置において、
前記メタ情報及び前記サブタイトル情報を利用して、拡張検索機能を提供する検索エンジンと、
前記サブタイトル情報を利用して、前記動画情報に対する字幕を提供するサブタイトル処理器と、
前記動画情報をデコーティングし、検索のためのメニュグラフィック及び前記サブタイトル処理器により処理された字幕データをブレンディングして出力するプレゼンテーションエンジンと、を備えることを特徴とする再生装置。
【請求項１３】
前記検索エンジンは、マークアップ言語で作成された前記メタ情報が保存されたファイルまたは／及び前記サブタイトル情報が保存されたファイルをパーシングして構文エラーを検査し、パーシングされたファイルを実行可能な形態のオブジェクトに変換し、前記変換されたオブジェクトを参照してショット、撮影場所、キャラクタ、小品、サウンドのうち少なくとも一つの検索キーワードによって動画情報の該当位置を検索することを特徴とする請求項１２に記載の再生装置。
【請求項１４】
前記サブタイトル処理器は、スタイル情報が適用された前記字幕情報を前記動画情報に対してレンダリングすることを特徴とする請求項１２に記載の再生装置。
【請求項１５】
前記記録媒体は、コアデータ、フルデータ、システムデータ及び拡張検索のためのデータを保存することを特徴とする請求項１に記載の記録媒体。
【請求項１６】
前記コアデータは、動画再生のためのデータ及び前記動画情報の再生を制御するためのナビゲーション情報を含むことを特徴とする請求項１に記載の記録媒体。
【請求項１７】
前記動画情報は、ＭＰＥＧ標準により符号化されたクリップＡ／Ｖストリームファイルと、前記クリップＡ／Ｖストリームファイルの符号化属性及びエントリーポイント情報を含むクリップ情報ファイルとを含み、
前記クリップＡ／Ｖストリームファイルは、記録単位であることを特徴とする請求項１に記載の記録媒体。
【請求項１８】
前記動画情報は、再生単位として前記クリップ情報ファイルのＩＮ時間及びＯＵＴ時間を指定しているプレイアイテムを複数個含むプレイリストを含むことを特徴とする請求項１７に記載の記録媒体。
【請求項１９】
前記フルデータは、インタラクティブ機能を提供するためのプログラムデータ及び／または動画関連情報を保存したマークアップ文書から情報を取って再生するためのブラウザデータを含むことを特徴とする請求項１５に記載の記録媒体。
【請求項２０】
前記プログラムデータは、動画を利用したゲーム機能、動画の一部を再生しつつディレクターのコメントを再生する機能、動画の一部を再生しつつ付加情報を表示する機能、動画を再生しつつチャッティングできる機能のうち少なくとも一つを提供することを特徴とする請求項１５に記載の記録媒体。
【請求項２１】
前記ブラウザデータは、動画と関連した情報を保存して再生する文書から情報を取ってくるようにする命令を含み、前記命令は、マークアップ言語または実行スクリプト言語でなっていることを特徴とする請求項１５に記載の記録媒体。
【請求項２２】
前記システムデータは、前記コアデータ及び／またはフルデータの再生を制御し、スタートアップ情報とタイトル情報とを含み、前記スタートアップ情報は、再生装置により最初に再生されるオブジェクトの位置を指示し、前記タイトル情報は、再生される各オブジェクトの位置を知らせるエントリーポイント情報を含むことを特徴とする請求項１５に記載の記録媒体。
【請求項２３】
前記拡張検索のためのデータは、メタ情報及び／またはサブタイトル情報を含むことを特徴とする請求項１５に記載の記録媒体。
【請求項２４】
前記メタ情報及びサブタイトル情報は、別途のファイルで前記記録媒体に保存されることを特徴とする請求項２３に記載の記録媒体。
【請求項２５】
動画情報、前記動画情報についての拡張検索のためのメタ情報、及び前記動画情報についての字幕を提供するためのサブタイトル情報を保存した記録媒体を再生するためのコンピュータで読み取り可能な命令を記録したコンピュータで読み取り可能な記録媒体において、前記コンピュータで読み取り可能な命令は、
前記メタ情報及びサブタイトル情報を使用して、拡張された検索機能を提供する拡張検索命令と、
前記サブタイトル情報を使用して、前記動画情報の字幕を生成するサブタイトル命令と、
前記動画情報をデコーティングし、検索のためのメニュグラフィック及びサブタイトル処理器により処理された字幕データを前記デコーティングされた動画情報とブレンディングし、ブレンディング結果を出力するデコーティング命令を含むことを特徴とする記録媒体。
【請求項２６】
前記拡張検索命令は、マークアップ言語で作成され、前記メタ情報を含むファイル及び／または前記サブタイトル情報を含むファイルをパーシングして構文エラーを検査し、前記パーシングされたファイルを実行可能な形態のオブジェクトに変換し、前記変換されたオブジェクトを参照してショット、場所、キャラクタ、小品、サウンドのうち少なくとも一つを検索アイテムとして使用して、動画情報の該当部分を検索することを特徴とする請求項２５に記載の記録媒体。
【請求項２７】
前記サブタイトル命令は、前記サブタイトル情報に含まれたスタイル情報を使用してレンダリングされた字幕情報を前記動画情報にブレンディングすることを特徴とする請求項２５に記載の記録媒体。
【発明の詳細な説明】
【技術分野】
【０００１】
本発明は、記録媒体の再生に係り、特に拡張検索機能を提供するメタ情報及びサブタイトル情報が記録された記録媒体及びその再生装置に関する。
【背景技術】
【０００２】
ＤＶＤのような記録媒体には、ＭＰＥＧ（Ｍｏｔｉｏｎ  Ｐｉｃｔｕｒｅ  Ｅｘｐｅｒｔｓ  Ｇｒｏｕｐ）などの標準によって圧縮符号化されたビデオ及びオーディオ、またはサブタイトルを含むＡＶ（Ａｕｄｉｏ−Ｖｉｓｕａｌ）データ（または、動画データストリーム）が記録されている。また、動画データストリームの符号化属性または動画の再生順序などの付加情報がさらに記録されている。
【０００３】
これにより、記録媒体に記録された動画は、再生情報によって順次に再生されることが一般的であり、時には、ＡＶデータの再生中にチャプタ単位でジャンプして再生される場合がある。
【０００４】
しかし、従来の記録媒体については、ユーザーが所望する検索基準によって任意の場面にジャンプして再生できる方法が提供されていない。すなわち、場面単位の検索や登場人物単位の検索、または背景場所単位の検索などユーザーが所望する検索基準によって、ＡＶデータの任意の位置に移動して再生する機能は提供されず、多様な検索が困難であるという問題点があった。
【０００５】
また、従来のＤＶＤでは、動画情報をＭＰＥＧ２標準によって圧縮符号化して多重化したため、動画の検索機能を提供するためのメタ情報を含むように記録媒体を製作し難いだけでなく、一度製作された記録媒体は、動画情報またはメタ情報を編集するか、または再使用するのがほとんど不可能であるという問題点があった。
【発明の開示】
【発明が解決しようとする課題】
【０００６】
本発明の目的は、前述した問題点を解決するために、拡張検索機能を提供するテキスト基盤のメタ情報及びサブタイトル情報が記録された記録媒体を提供するところにある。
【０００７】
本発明の他の目的は、記録媒体に記録されたテキスト基盤のメタ情報及びサブタイトル情報を利用して、拡張検索機能を提供する再生装置を提供するところにある。
【課題を解決するための手段】
【０００８】
前記目的は、動画情報が記録された記録媒体において、動画情報、動画情報に対する拡張検索機能を提供するためのメタ情報、及び動画情報についての字幕を提供するためのサブタイトル情報を含み、メタ情報及びサブタイトル情報は、別途のファイルに分離されて記録されることを特徴とする記録媒体により達成される。
【０００９】
メタ情報及びサブタイトル情報は、エレメント及び属性で表現されるマークアップ言語を使用し、テキストに基づいて記録されることが望ましい。
【００１０】
一方、本発明の他の分野によれば、前記他の目的は、動画情報、動画情報についての拡張検索機能を提供するためのメタ情報、及び動画情報についての字幕を提供するためのサブタイトル情報を含む記録媒体を再生する再生装置において、メタ情報及びサブタイトル情報を利用して、拡張検索機能を提供する検索エンジン、サブタイトル情報を利用して、動画情報についての字幕を提供するサブタイトル処理器、及び動画情報をデコーティングし、検索のためのメニュグラフィック及びサブタイトル処理器により処理された字幕データをブレンディングして出力するプレゼンテーションエンジンを備えることを特徴とする再生装置により達成される。
【発明の効果】
【００１１】
本発明によれば、拡張検索機能を提供するテキスト基盤のメタ情報及びサブタイトル情報が記録された記録媒体を通じて、多様な検索キーワードによる拡張検索機能が提供される。
【００１２】
サブタイトル情報は、字幕データまたは検索キーワードとして使われうる。
【００１３】
さらに、メタ情報及びサブタイトル情報が別途のファイルにそれぞれ記録されて、メタ情報の大きさが小さくなってデータ処理が容易である。
【００１４】
また、テキスト基盤のマークアップ文書に具現されて、記録媒体に記録されたメタ情報及びサブタイトル情報の編集及び再使用が容易である。
【発明を実施するための最良の形態】
【００１５】
以下では、添付された図面を参照して、本発明の望ましい実施形態について詳細に説明する。
【００１６】
図１は、本発明の望ましい実施形態による記録媒体に記録されたデータの種類を示す図である。図１に示すように、本発明による記録媒体には、コアデータ１００、フルデータ１１０、システムデータ１２０及び拡張検索機能のためのデータ１３０が記録されている。
【００１７】
コアデータ１００は、動画の再生のためのデータであって、圧縮符号化された動画情報１０２及び動画情報の再生を制御するためのナビゲーション情報１０１を含む。動画情報１０２は、記録単位としてＭＰＥＧなどの標準により符号化されたクリップＡＶストリームファイルと、クリップＡＶストリームファイルのエンコーディング属性及びエントリーポイント情報などを含んでいるクリップ情報ファイルとを含む。また、再生単位として前記クリップ情報ファイルのＩＮ、ＯＵＴ時間位置を指定しているプレイアイテムと、前記のような複数個のプレイアイテムからなるプレイリストとを含んでいる。記録媒体のナビゲーション情報を参照して動画情報を再生でき、ユーザーは、高画質の映画など動画を視聴できる。
【００１８】
一方、フルデータ１１０は、動画の再生以外に付加機能を提供するためのデータであって、ユーザーとのインタラクティブ機能を提供するためのプログラムデータ１１１及び／または動画と関連した情報を保存したマークアップ文書から関連した情報を取ってきて再生するためのブラウザデータ１１２を含みうる。付加機能を使用しない場合には、フルデータ１１０が含まれないこともある。
【００１９】
プログラムデータ１１１は、動画を利用したゲーム機能、動画の一部を再生しつつディレクターのコメントを表示する機能、動画の一部を再生しつつその他の付加情報を表示する機能、または動画を再生しつつチャッティングできる機能などを提供できる。
【００２０】
ブラウザデータ１１２は、動画と関連した情報を保存したマークアップ文書から関連した情報を取ってきて再生するための命令から構成され、前述した命令は、マークアップ言語及び／または実行スクリプト言語（例えば、ＥＣＭＡスクリプト）で具現されうる。これにより、動画と関連した情報を保存したマークアップ文書から関連した情報を取ってきて動画と共に再生できる。例えば、記録媒体に記録された映画と関連して、ウェブページまたは他のファイルなどに保存された映画俳優に関する最近ニュース、映画と関連したイベント開催ニュースまたはアップデートされたサブタイトルなどの関連した情報を取ってきて映画と共に再生できる。その他、フルデータ１１０には、動画の再生以外に他の付加機能を提供するさらに他のデータタイプが含まれることもある。
【００２１】
一方、システムデータ１２０は、コアデータ１００及び／またはフルデータ１１０の再生を制御するためのデータであって、スタートアップ情報１２１とタイトル情報１２２とを含む。スタートアップ情報１２１は、記録媒体が再生装置により再生されるとき、最初に再生されるオブジェクトの位置を指示し、タイトル情報１２２は、再生される各オブジェクトの位置を知らせるエントリーポイント情報を含む。
【００２２】
一方、拡張検索機能のためのデータ１３０は、メタ情報１３１及び／またはサブタイトル情報１３２を含む。
【００２３】
メタ情報１３１は、前述したデータとは別途に記録されており、動画に対する追加情報を提供するか、または向上した検索機能を提供するために使われる。記録媒体の製作を便利にし、製作後の編集及び再使用が可能にテキスト基盤のマークアップ言語を使用して構成される。
【００２４】
例えば、メタ情報は、映画の製作時に使われるシナリオの内容に基づいて、登場人物、台詞、背景音楽、小品、撮影場所などの情報を検索キーワードとして使用可能に、前述した色々な情報をエレメントとして含みうる。これにより、登場人物別、台詞別、背景音楽別、小品別、撮影場所別の検索キーワードを利用して、動画情報のうち所望の位置の動画情報のみを検索して再生できる。以下では、それを拡張検索機能と略称する。
【００２５】
一方、サブタイトル情報１３２は、台詞を記録したデータであって、検索キーワードとして使われるだけでなく、字幕情報として使用可能に別途のファイルに記録される。
【００２６】
すなわち、台詞の場合、メタ情報に含まれた一つの検索キーワードとして使われることもあるが、動画の再生時の字幕としても使用可能であるという特徴がある。したがって、本発明では、台詞がメタ情報としてだけでなく、追加的な字幕を提供可能に、前述したメタ情報ファイルとは別途のサブタイトル情報１３２ファイルを記録する。
【００２７】
このようにメタ情報１３１及びサブタイトル情報１３２を別途のファイルとして記録することによって、台詞を字幕で再生するときに不要なデータの処理過程（メタ情報から台詞のみを分離してパーシングする過程）が省略されて、メタ情報及びサブタイトル情報のデータ処理が容易である。また、他の情報に比べて相対的に多い台詞情報を別途のサブタイトル情報１３２ファイルに記録することによって、メタ情報の大きさを小さくすることができる。
【００２８】
図２は、図１に示したメタ情報１３１とサブタイトル情報１３２との構成及び相互関係を説明するための図である。図２に示すように、メタ情報１３１には、その他の情報、ショット情報、キャラクタ情報、音楽情報、撮影場所情報及び／または小品情報などが含まれうる。また、サブタイトル情報１３２には、その他の情報、字幕情報及び／またはスタイル情報などが含まれうる。
【００２９】
まず、メタ情報１３１を具体的に説明する。
【００３０】
その他の情報は、メタ情報の全体に対する情報であって、メタ情報の固有識別情報、使われる言語情報、映画のタイトル情報などが含まれうる。
【００３１】
また、拡張検索機能を提供するために、ショット情報、キャラクタ情報、音楽情報、撮影場所情報、小品情報などがそれぞれ種類別にグルーピングされて記録され、あらゆる情報は、ショット情報と連結される。
【００３２】
ショット情報は、映画の開始から終了まで製作者が意図する検索の区間単位に分けた検索単位である。例えば、カメラの撮影角度を基準として撮影場面が変更される時点をショットの区間単位として構成できる。一つの映画を区間別に分けたショットは、それぞれ固有識別情報（Ｓｈｏｔ  ＩＤ）を有する。一つのショットに対する区間情報としてショットの開始時間情報及び終了時間情報を含み、各ショットについての説明及びその他の情報をさらに含むこともできる。
【００３３】
ショット以外の撮影場所、小品、キャラクタ、音楽のようなメタ情報は、動画情報（ＡＶストリーム）で該当検索キーワードが存在する位置情報であって、各メタ情報を含むショットの固有識別情報（Ｓｈｏｔ  ＩＤ）を参照する。
【００３４】
キャラクタ情報は、映画に登場する登場人物についての情報であって、各キャラクタ別に固有識別情報（Ｃｈａｒａｃｔｅｒ  ＩＤ）、各キャラクタが登場するショットの固有識別情報（Ｓｈｏｔ  ＩＤ）及びキャラクタの名前、該当キャラクタを演技する俳優の名前及びその他の付加情報を含みうる。
【００３５】
音楽情報は、映画で使用するサウンドトラック及び効果音などについての情報であって、音楽の名称、各音楽が使われているショットの固有識別情報（Ｓｈｏｔ  ＩＤ）及びその他の付加情報を含みうる。
【００３６】
撮影場所情報は、映画撮影の背景場所についての情報であって、撮影場所の名称、該当撮影場所が再生されるショットの固有識別情報（Ｓｈｏｔ  ＩＤ）及び追加情報を含みうる。
【００３７】
小品情報は、映画に登場する事物、自動車や製品などについての情報であって、小品の名称、各小品が登場するショットの固有識別情報（Ｓｈｏｔ  ＩＤ）及び追加情報を含みうる。
【００３８】
一方、サブタイトル情報１３２を具体的に説明する。
【００３９】
その他の情報は、サブタイトル情報の全体情報であって、該当サブタイトル情報を参照するメタ情報の固有識別情報（ＩＤ）、サブタイトル情報の固有識別情報（ＩＤ）、言語情報及び／または映画のタイトル情報などを含む。
【００４０】
字幕情報は、映画字幕のためのテキスト基盤のデータである。字幕項目別の字幕が出力される時間情報として、出力開始時間及び出力完了時間情報を有する。
【００４１】
スタイル情報は、テキスト字幕のレンダリングに使われる情報であって、フォント、背景色、線の間隔などの字幕の出力スタイルについての情報を含む。
【００４２】
一方、前述したように、サブタイトル情報１３２は、メタ情報のように拡張検索機能を提供するための検索キーワード情報として使われうる。これは、メタ情報に含まれるショットの固有識別情報（Ｓｈｏｔ  ＩＤ）、及び各字幕に該当する台詞を演技する登場人物についてのキャラクタの固有識別情報（Ｃｈａｒａｃｔｅｒ  ＩＤ）をそれぞれの字幕情報で参照することによって、特定のショットで使われる字幕のみを検索するか、または特定のキャラクタが演技する台詞または字幕のみを検索して再生できる。
【００４３】
前述したように、メタ情報１３１及びサブタイトル情報１３２をテキスト基盤のそれぞれ別途のファイルに分離して記録することによって、各データファイルの大きさが小さくなってデータ処理が容易になる。
【００４４】
また、再生装置でサブタイトルを再生するか、または拡張検索機能を行う場合、必要な機能によってサブタイトル情報１３２またはメタ情報１３１のうち、必要な情報を保存したファイルのみを読み込んで実行できるという長所がある。
【００４５】
さらに、ネットワークを支援する再生装置において、製作者が記録媒体に記録されていないメタ情報やサブタイトル情報を追加的にネットワークを通じて配布しようとするときは、サブタイトル情報１３２やメタ情報１３１のうち、ユーザーが所望する情報を保存したファイルのみを選択して伝送されうるという長所も提供する。
【００４６】
また、メタ情報１３１をショット、撮影場所、小品、キャラクタ、音楽情報などの検索キーワード別に分けて記録し、それぞれの検索キーワードが映画上に出てくる動画情報についての位置情報としてショットの固有識別情報（Ｓｈｏｔ  ＩＤ）を参照する方式で構成する。したがって、後述する検索エンジンがユーザーに提供する検索メニュを生成しやすく、ユーザーが指定した検索キーワードが存在するあらゆるショット情報を検索しやすいという長所がある。
【００４７】
さらに、サブタイトル情報１３２の各字幕情報は、メタ情報のショットの固有識別情報（Ｓｈｏｔ  ＩＤ）及び登場人物の固有識別情報（Ｃｈａｒａｃｔｅｒ  ＩＤ）を参照することによって、サブタイトル情報１３２は、字幕データとして利用されるだけでなく、拡張検索機能を提供するためのデータとしても使われうるという長所がある。
【００４８】
図３は、本発明の望ましい実施形態によるメタ情報１３１の構文構造の一例を示す図である。図３を参照するに、前述したメタ情報１３１を具現するためのマークアップ言語で使われるデータタイプを定義した例が示されている。すなわち、メタ情報１３１についてのエレメント及び属性を定義した一例である。メタ情報１３１ファイルは、該当ファイルについての説明として該当メタ情報ファイルの識別情報、記録された言語の種類、映画のタイトルなどを含みうる。また、拡張検索のための検索キーワードとして使われる情報として、ショット、キャラクタ、小品、撮影場所、音楽などのエレメントについての情報を含む。各メタ情報に含まれたエレメントは、グルーピングされることが望ましい。
【００４９】
各エレメントと属性との構文構造をさらに具体的に説明すれば、次の通りである。
【００５０】
１）ｓｅａｒｃｈｔａｂｌｅエレメント
ｓｅａｒｃｈｔａｂｌｅエレメントは、メタ情報文書（または、ファイル）の最上位のエレメントであって、あらゆるメタ情報文書の開始は、ｓｅａｒｃｈｔａｂｌｅエレメントで始める。含んでいる属性としては、
（ａ）メタ情報を他のメタ情報と区分するためのメタ情報の固有識別情報を属性値として有する“ｍｅｔａｄａｔａ＿ＩＤ”
（ｂ）メタ情報に含まれたその他の情報を記録するために使われる言語を属性値として有する“ｌａｎｇ”
（ｃ）メタ情報が使われる動画のタイトルを属性値として有する“ｔｉｔｌｅ”
などがある。
【００５１】
２）ｓｈｏｔｓエレメント
ｓｈｏｔｓエレメントは、一つの映画を製作者の意図またはカメラアングルの変化を基準として、任意の区間別に分けた複数個のショットを含んでいるエレメントであって、最小一つ以上のｓｈｏｔエレメントを含む。
【００５２】
３）ｃｈａｒａｃｔｅｒｓエレメント
ｃｈａｒａｃｔｅｒｓエレメントは、映画に登場する登場人物情報を含んでいるエレメントであって、最小一つ以上のｃｈａｒａｃｔｅｒエレメントを含む。
【００５３】
４）ｉｔｅｍｓエレメント
ｉｔｅｍｓエレメントは、映画に使われる小品情報を含んでいるエレメントであって、最小一つ以上のｉｔｅｍエレメントを含む。
【００５４】
５）ｌｏｃａｔｉｏｎｓエレメント
ｌｏｃａｔｉｏｎｓエレメントは、映画の撮影場所についての情報を含んでいるエレメントであって、最小一つ以上のｌｏｃａｔｉｏｎエレメントを含む。
【００５５】
６）ｓｏｕｎｄｓエレメント
ｓｏｕｎｄｓエレメントは、映画に使われたサウンドトラックまたは効果音についての情報を含んでいるエレメントであって、最小一つ以上のｓｏｕｎｄエレメントを含む。
【００５６】
７）ｓｈｏｔエレメント
ｓｈｏｔエレメントは、全体の映画のうち製作者の意図またはカメラアングルの変化を基準として分けられた区間に対する情報を記録しているエレメントであって、含んでいる属性としては、
（ａ）ｓｈｏｔの開始時間情報を属性値として有する“ｂｅｇｉｎ”
（ｂ）ｓｈｏｔの終了時間情報を属性値として有する“ｅｎｄ”
（ｃ）現在ｓｈｏｔを他のｓｈｏｔと区分するための固有識別情報を属性値として有する“ｓｈｏｔ＿ｉｄ”
（ｄ）現在ｓｈｏｔのタイトルを属性値として有する“ｔｉｔｌｅ”
（ｅ）現在ｓｈｏｔについての簡略な説明を属性値として有する“ｄｅｓｃ”
などがある。
【００５７】
８）ｃｈａｒａｃｔｅｒエレメント
ｃｈａｒａｃｔｅｒエレメントは、映画に登場するそれぞれの登場人物についての情報を含むエレメントであって、含んでいる属性としては、
（ａ）該当人物が登場するｓｈｏｔを参照するための複数個のｓｈｏｔ＿ｉｄを属性値として有する“ｒｅｆ＿ｓｈｏｔ＿ｉｄ”
（ｂ）動画の全体に登場する人物のうち、現在のｃｈａｒａｃｔｅｒエレメントにより表れる人物の固有識別情報を属性値として有する“ｃｈａｒａｃｔｅｒ＿ｉｄ”
（ｃ）登場人物の名前を属性値として有する“ｎａｍｅ”
（ｄ）該当登場人物を演技した俳優の名前を属性値として有する“ａｃｔｏｒ”
などがある。
【００５８】
９）ｉｔｅｍエレメント
ｉｔｅｍエレメントは、映画に出てくるそれぞれの小品についての情報を含むエレメントであって、含んでいる属性としては、
（ａ）該当アイテムが登場するｓｈｏｔを参照するための複数個のｓｈｏｔ＿ｉｄを属性値として有する“ｒｅｆ＿ｓｈｏｔ＿ｉｄ”
（ｂ）該当アイテムの名前を属性値として有する“ｎａｍｅ”
（ｃ）該当アイテムについての簡略な説明を属性値として有する“ｄｅｓｃ”
などがある。
【００５９】
１０）ｌｏｃａｔｉｏｎエレメント
ｌｏｃａｔｉｏｎエレメントは、映画の撮影場所それぞれについての情報を含むエレメントであって、含んでいる属性としては、
（ａ）該当場所が登場するｓｈｏｔを参照するための複数個のｓｈｏｔ＿ｉｄを属性値として有する“ｒｅｆ＿ｓｈｏｔ＿ｉｄ”
（ｂ）該当場所の名前を属性値として有する“ｎａｍｅ”
（ｃ）該当場所についての簡略な説明を属性値として有する“ｄｅｓｃ”
などがある。
【００６０】
１１）ｓｏｕｎｄエレメント
ｓｏｕｎｄエレメントは、映画に使われるサウンドトラックまたは効果音それぞれについての情報を含むエレメントであって、含んでいる属性としては、
（ａ）該当サウンドが登場するｓｈｏｔを参照するための複数個のｓｈｏｔ＿ｉｄを属性値として有する“ｒｅｆ＿ｓｈｏｔ＿ｉｄ”
（ｂ）該当サウンドの名前を属性値として有する“ｎａｍｅ”
（ｃ）該当サウンドについての簡略な説明を属性値として有する“ｄｅｓｃ”
などがある。
【００６１】
図４は、図３のメタ情報の構文構造によって構成されたメタ情報の一例を示す図である。図４を参照するに、マークアップ文書で作成されたメタ情報の例が示されている。メタ情報を含むマークアップ文書は、前述したようにｓｅａｒｃｈｔａｂｌｅエレメントを最上位のエレメントとして始まり、ｓｅａｒｃｈｔａｂｌｅエレメントの属性で該当メタ情報の固有ＩＤ値として“ＭＴ１”を指定しており、追加情報を記録するために使用する言語として“ｋｒ”、該当メタ情報を使用する動画のタイトルとして“ｍａｒｔｒｉｘ”を指定している。
【００６２】
また、少なくとも一つ以上のｓｈｏｔ，ｃｈａｒａｃｔｅｒ，ｉｔｅｍ，ｌｏｃａｔｉｏｎ，ｓｏｕｎｄエレメントがそれぞれ上位のエレメントにより含まれてメタ情報を構成している。これにより、ユーザーが所望する検索キーワードを入力するか、または選択すれば、ショット、登場人物、小品、撮影場所、サウンドなどの検索キーワードを利用して動画情報の該当する位置を検索して、ユーザーが所望する部分から再生できる。
【００６３】
図５は、本発明の望ましい実施形態によるサブタイトル情報１３２の構文構造の一例を示す図である。図５を参照するに、前述したサブタイトル情報１３２を具現するために、マークアップ言語で使われるデータタイプを定義した例が示されている。すなわち、サブタイトル情報１３２に対するエレメント及び属性を定義した一例である。テキスト基盤のサブタイトル情報１３２ファイルは、該当ファイルについての説明であって、該当サブタイトル情報を参照するメタ情報の固有識別情報、該当サブタイトル情報１３２ファイルの区分情報、記録された言語の種類、及び映画のタイトルを含みうる。
【００６４】
また、映画字幕に対する字幕情報及び各字幕のレンダリングに使われるスタイル情報などを含みうる。
【００６５】
以下では、サブタイトル情報１３２のエレメント及び属性について、さらに具体的に説明する。
【００６６】
１）ｓｕｂｔｉｔｌｅエレメント
ｓｕｂｔｉｔｌｅエレメントは、テキストサブタイトル文書の最上位のエレメントであって、あらゆるテキストサブタイトル文書の開始は、ｓｕｂｔｉｔｌｅエレメントで始まる。含んでいる属性としては、
（ａ）該当サブタイトル文書がメタ情報の一つとして検索に使われる場合、サブタイトル情報を参照するメタ情報の固有識別情報を属性値として有する“ｒｅｆ＿ｍｅｔａｄａｔａ＿ＩＤ”
（ｂ）サブタイトル情報を他のサブタイトル情報と区分するためのサブタイトル固有識別情報を属性値として有する“ｓｕｂｔｉｔｌｅ＿ＩＤ”
（ｃ）サブタイトル情報を使用して画面に表示される字幕の言語を属性値として有する“ｌａｎｇ”
（ｄ）サブタイトル情報が使われる動画のタイトルを属性値として有する“ｔｉｔｌｅ”
などがある。
２）ｓｔｙｌｅエレメント
【００６７】
ｓｔｙｌｅエレメントは、字幕情報のレンダリングに使われるスタイル情報を記録しているエレメントであって、含んでいる属性としては、
（ａ）他のｓｔｙｌｅエレメントと現在のｓｔｙｌｅエレメントを区分するために、ｓｔｙｌｅの固有識別情報を属性値として有する“ｓｔｙｌｅ＿ＩＤ”
（ｂ）ｄｉａｌｏｇエレメントで字幕情報として使われるテキストに使われるフォントの名前を属性値として有する“ｆｏｎｔ”
（ｃ）ｄｉａｌｏｇエレメントで字幕情報として使われるテキストの色相を属性値として有する“ｃｏｌｏｒ”
（ｄ）ｄｉａｌｏｇエレメントで字幕データとして使われるテキストの背景色を属性値として有する“ｂｇｃｏｌｏｒ”
（ｅ）ｄｉａｌｏｇエレメントで字幕データとして使われるテキストの字の大きさを属性値として有する“ｓｉｚｅ”
（ｆ）ｄｉａｌｏｇエレメントで字幕データとして使われるテキストの字出力の基準位置を属性値として有する“ｐｏｓｉｔｉｏｎ”
（ｇ）ｄｉａｌｏｇエレメントで字幕データとして使われるテキストの整列方式を属性値として有する“ａｌｉｇｎ”
（ｈ）ｄｉａｌｏｇエレメントにより画面に出力されるテキストの出力領域を属性値として有する“ｒｅｇｉｏｎ”
（ｉ）ｄｉａｌｏｇエレメントにより画面に出力されるテキスト間の線間隔を属性値として有する“ｌｉｎｅｈｅｉｇｈｔ”
などがある。
【００６８】
３）ｓｃｒｉｐｔエレメント
ｓｃｒｉｐｔエレメントは、字幕テキスト情報を記録しているエレメントであって、最小一つ以上のｄｉａｌｏｇエレメントを含む。
【００６９】
４）ｄｉａｌｏｇエレメント
ｄｉａｌｏｇエレメントは、ディスプレイ画面上に表示される字幕のテキスト情報を記録しているエレメントであって、含んでいる属性としては、
（ａ）字幕テキストの出力開始時間情報を属性値として有する“ｂｅｇｉｎ”
（ｂ）字幕テキストの出力完了時間情報を属性値として有する“ｅｎｄ”
（ｃ）ｄｉａｌｏｇエレメントが出てくる時点のＳｈｏｔ  ＩＤを属性値として有する“ｒｅｆ＿ｓｈｏｔ＿ｉｄ”
（ｄ）ｄｉａｌｏｇエレメントを話すキャラクタのＣｈａｒａｃｔｅｒ  ＩＤを属性値として有する“ｒｅｆ＿ｃｈａｒａｃｔｅｒ＿ｉｄ”
（ｅ）ｄｉａｌｏｇエレメントにより画面に表示されるテキストデータに適用されるスタイルを指定するために、特定のｓｔｙｌｅエレメントの固有ＩＤを属性値として有する“ｒｅｆ＿ｓｔｙｌｅ＿ＩＤ”
などがある。
【００７０】
図６は、図５のサブタイトル情報の構文構造によって構成されたサブタイトル情報の一例を示す図である。図６に示すように、サブタイトル情報文書（または、ファイル）は、前述したようにｓｕｂｔｉｔｌｅエレメントを最上位のエレメントとして始まり、ｓｕｂｔｉｔｌｅエレメントの属性として、該当サブタイトル情報をメタ情報の一つとして含むメタ情報ファイルの固有識別情報を“ＭＴ１”として指定しており、該当サブタイトル情報の固有ＩＤとして“ＳＴ１”、字幕に使用する字幕データの使用言語として“ｋｒ”、該当サブタイトル情報を使用する動画のタイトルとして“ｍａｒｔｒｉｘ”を指定している。
【００７１】
また、スタイル情報としてｓｔｙｌｅ＿ｉｄ“ｓｔｙｌｅ１”に該当する多様な情報が定義されている。ｓｃｒｉｐｔエレメントには、複数のｄｉａｌｏｇエレメントが記録されており、各字幕項目は、該当字幕が再生される開始時間及び終了時間情報、どのスタイルを適用するかについてのスタイル参照情報と共に、該当字幕が登場するメタ情報内のｓｈｏｔを参照するｓｈｏｔ＿ｉｄ、及び該当字幕に表示される台詞を話す登場人物を参照するｃｈａｒａｃｔｅｒ＿ｉｄ情報を参照している。
【００７２】
前述したように、サブタイトル情報は、“ｒｅｆ＿ｍｅｔａｄａｔａ＿ｉｄ”のような属性を通じて該当サブタイトルを含みうるメタ情報ファイルを参照することによって、自身もメタ情報の一つとして使用できる。
【００７３】
また、サブタイトル情報は、メタ情報の一つとして、検索キーワードとして使われうるだけでなく、字幕用のサブタイトルとしても使用可能であるので、それぞれ別個のファイルに分離されて記録される。したがって、それぞれのデータ処理が一つのファイルに含まれる場合より相対的に容易である。
【００７４】
図７は、ユーザーが本発明による拡張検索機能を使用する場合のメニュ構成の一例を示す図である。図７に示すように、ユーザーが最初の検索機能を実行させた場合、再生装置は、後述する検索エンジンを通じて検索メニュ選択７００という画面をユーザーに提供する。ユーザーは、検索エンジンが提供する検索メニュのうち一つを選択できる。最上位のメニュでユーザーにより一つのメニュが選択されれば、検索エンジンは、メタ情報を参照して選択されたメニュに該当するサブメニュを構成して画面に出力する。図７に示すように、ユーザーの選択によって登場人物検索、音楽検索、台詞検索、小品検索、撮影場所検索、ショット検索などのサブメニュが画面に表示されうる。かかる方法により、ユーザーは、所望の検索キーワードにより再生の時点を移動して所望の部分から映画を見ることができる。
【００７５】
前述したように、本発明の望ましい実施形態による記録媒体は、拡張検索機能を提供するためのメタ情報１３１及び字幕データまたはメタ情報の検索キーワードとして使われるサブタイトル情報１３２を、マークアップ言語を利用したテキスト基盤のファイルに記録でき、それぞれは別個のファイルとして分離されて記録されうる。前述した各サブタイトル情報及びメタ情報の具現例は、一実施形態に過ぎず、多様な形態に変形して具現できる。
【００７６】
本発明による記録媒体は、その再生装置への挿入及び離脱が容易な着脱式であり、再生装置の光学装置を利用してデータを読み取ることができる光ディスクであることが望ましい。例えば、ＣＤ−ＲＯＭ、ＤＶＤのような光ディスクが含まれ、以後に開発される光ディスクが含まれうる。
【００７７】
以下では、前述した記録媒体を再生する再生装置について詳述する。
【００７８】
図８は、本発明の望ましい実施形態による再生装置のブロック概念図である。図８を参照するに、テキスト基盤のサブタイトル情報及びメタ情報が含まれた記録媒体の再生のための再生装置の構成が示されている。本発明の望ましい実施形態による再生装置は、サブタイトル処理器８１０、検索エンジン８２０及びプレゼンテーションエンジン８３０を備える。
【００７９】
サブタイトル処理器８１０は、サブタイトル情報を利用して動画情報についての字幕を提供する。サブタイトル処理器は、スタイル情報が適用された字幕情報を動画情報に対してレンダリングする。
【００８０】
検索エンジン８２０は、メタ情報及びサブタイトル情報を利用して拡張検索機能を提供する。さらに具体的に、検索エンジンは、マークアップ言語で作成されたメタ情報が保存されたファイルまたは／及びサブタイトル情報が保存されたファイルをパーシングして構文エラーを検査し、パーシングされたファイルを実行可能な形態のオブジェクトに変換した文書客体モジュールツリーを構成し、変換されたオブジェクトを参照してショット、撮影場所、キャラクタ、小品、サウンドのうち少なくとも一つの検索基準によって動画情報の該当位置を検索する。
【００８１】
プレゼンテーションエンジン８３０は、動画情報をデコーティングし、検索のためのメニュグラフィック及びサブタイトル処理器により処理された字幕データをブレンディングして出力する。
【００８２】
一方、前述した再生装置により再生される記録媒体に含まれたファイルによって変形された形態に検索及び再生機能が提供されうる。
【００８３】
第１に、メタ情報ファイルのみがある場合、検索エンジン８２０は、メタ情報ファイルを入力されて文書を検証し、ユーザーにより拡張検索機能が要求された場合、プレゼンテーションエンジン８３０を通じて前述した拡張検索メニュを提供する。この場合、サブタイトル情報が含まれないので、メニュの提供時に台詞によるメニュは生成されない。
【００８４】
第２に、サブタイトルファイルのみがある場合、検索エンジン８２０は、サブタイトルファイルを入力されて文書を検証し、字幕用データと共にスタイル情報をサブタイトル処理器８１０に伝達してそれをレンダリングした後、プレゼンテーションエンジン８３０を通じて字幕データを出力する。
【００８５】
第３に、メタ情報及びサブタイトルファイルがいずれも含まれた場合、検索エンジン８２０は、各ファイルを入力されて文書を検証し、ユーザーにより字幕ファイルが要求された場合には、字幕データ及びスタイル情報をサブタイトル処理器８１０に伝達してプレゼンテーションエンジン８３０を通じて出力可能にし、ユーザーにより拡張検索機能が要求された場合には、本発明による固有識別情報の参照値を通じてサブタイトル情報もメタ情報の一つと見なし、ユーザーに台詞オプションまで追加された拡張検索メニュを提供できる。その他に多様な形態の応用が可能である。
【００８６】
本発明は、また、コンピュータで読み取り可能な記録媒体にコンピュータで読み取り可能なコードとして具現されうる。コンピュータで読み取り可能な記録媒体は、コンピュータシステムにより読み取られるデータが保存されるあらゆる種類の記録装置を含む。コンピュータで読み取り可能な記録媒体の例としては、ＲＯＭ、ＲＡＭ、ＣＤ−ＲＯＭ、磁気テープ、フロッピー（登録商標）ディスク、光ディスクなどがあり、またキャリアウェーブ（例えば、インターネットを通じた伝送）の形態で具現されるものも含む。また、コンピュータで読み取り可能な記録媒体は、ネットワークに連結されたコンピュータシステムに分散され、分散方式でコンピュータで読み取り可能なコードが保存されて実行されうる。
【００８７】
以上、本発明の一実施形態に過ぎず、当業者は、本発明の本質的な特性から逸脱しない範囲で、変形された形態に具現できるであろう。したがって、本発明の範囲は、前述した実施形態に限定されず、特許請求の範囲に記載の内容と同等な範囲内にある多様な実施形態が含まれるように解釈されねばならない。
【図面の簡単な説明】
【００８８】
【図１】本発明の望ましい実施形態による記録媒体に記録されたデータの種類を示す図である。
【図２】図１に示したメタ情報とサブタイトル情報との構成及び相互関係を説明するための図である。
【図３】本発明の望ましい実施形態によるメタ情報の構文構造の一例を示す図である。
【図４】図３のメタ情報の構文構造によって構成されたメタ情報の一例を示す図である。
【図５】本発明の望ましい実施形態によるサブタイトル情報の構文構造の一例を示す図である。
【図６】図５のサブタイトル情報の構文構造によって構成されたサブタイトル情報の一例を示す図である。
【図７】ユーザーが本発明による拡張検索機能を使用する場合のメニュ構成の一例を示す図である。
【図８】本発明の望ましい実施形態による再生装置のブロック概念図である。
【図１】
2007511858.tif 000003
【図２】
2007511858.tif 000004
【図３】
2007511858.tif 000005
【図４】
2007511858.tif 000006
【図５】
2007511858.tif 000007
【図６】
2007511858.tif 000008
【図７】
2007511858.tif 000009
【図８】
2007511858.tif 000010
【国際調査報告】
2007511858.tif 000011